(57)【要約】【課題】インターネットアクセス回線の契約を行った時点から、インターネットに接続可能とする。【解決手段】ユーザ端末１０を接続したネットワークアクセス装置１１から電話回線（電話網１２）を利用して、プロバイダの設定格納サーバ１５に記憶されたネットワーク接続設定情報を取得する。取得したネットワーク接続設定情報に基づいて、ネットワークアクセス装置に自動的にネットワーク接続設定を行うとともに、当該設定情報をユーザ端末へ転送し、同様に接続設定を可能とする。ネットワークアクセス装置は、ユーザ端末に対するインターネット接続環境として、インターネットアクセス回線が開通するまでは電話回線を利用する。ネットワークアクセス装置は、インターネットアクセス回線１３の開通通知を受信したときに、自動的に電話回線からインターネットアクセス回線に切り替える。【選択図】      図１
2005286640.tif 000002
【特許請求の範囲】
【請求項１】
ユーザが使用するユーザ端末を接続し、前記ユーザ端末を新たに契約したインターネットアクセス回線を介してインターネットに接続可能とするネットワークアクセス装置において、
外部に記憶された、前記ユーザ端末が自装置を介してインターネットにアクセスするために必要となるネットワーク接続設定情報を、電話回線を利用して取得する手段と、
前記取得したネットワーク接続設定情報に基づいて、自装置に自動的にネットワーク接続設定を行う手段と、
前記取得したネットワーク接続設定情報を前記ユーザ端末へ転送する手段と、
前記ユーザ端末に対するインターネット接続環境として、前記インターネットアクセス回線が開通するまでは前記電話回線を利用し、前記インターネットアクセス回線の開通通知を受信したときに自動的に前記電話回線から前記インターネットアクセス回線に切り替える手段とを有することを特徴とするネットワークアクセス装置。
【請求項２】
ユーザが使用するユーザ端末を接続し、前記ユーザ端末を新たに契約したインターネットアクセス回線を介してインターネットに接続可能とするために、ネットワークアクセス装置を、
外部に記憶された、前記ユーザ端末が自装置を介してインターネットにアクセスするために必要となるネットワーク接続設定情報を、電話回線を利用して取得する手段と、
前記取得したネットワーク接続設定情報に基づいて、自装置に自動的にネットワーク接続設定を行う手段と、
前記取得したネットワーク接続設定情報を前記ユーザ端末へ転送する手段と、
前記ユーザ端末に対するインターネット接続環境として、前記インターネットアクセス回線が開通するまでは前記電話回線を利用し、前記インターネットアクセス回線の開通通知を受信したときに自動的に前記電話回線から前記インターネットアクセス回線に切り替える手段として機能させるためのプログラム。
【請求項３】
ユーザが使用するユーザ端末を接続し、前記ユーザ端末を新たに契約したインターネットアクセス回線を介してインターネットに接続可能とするネットワークアクセス装置において、
電話網に設けられた固定電話回線を接続し、対応する信号の送受信を行う電話回線インタフェース手段と、
前記インターネットアクセス回線を接続し、対応する信号の送受信を行うインターネットアクセス回線インタフェース手段と、
前記ユーザ端末を接続し、対応する信号の送受信を行うユーザ端末インタフェース手段と、
前記ユーザ端末インタフェース手段を、前記電話回線インタフェース手段及び前記インターネットアクセス回線インタフェース手段のいずれかに択一的に接続し、信号の中継を行う回線切替手段と、
前記電話回線インタフェース手段を介して、外部に記憶された、前記ユーザ端末が自装置を介してインターネットにアクセスするために必要となるネットワーク接続設定情報を取得し、前記取得したネットワーク接続設定情報に基づいて、自装置がインターネットに接続するために必要な設定を行い、前記取得したネットワーク接続設定情報を前記ユーザ端末インタフェース手段を介して前記ユーザ端末へ転送し、前記回線切替手段を制御して前記電話回線インタフェース手段を前記ユーザ端末インタフェース手段に接続し、前記ユーザ端末からのインターネットアクセスを前記電話回線経由で可能とし、前記インターネットアクセス回線の開通通知を受信すると、前記回線切替手段を制御して前記インターネットアクセス回線インタフェース手段を前記ユーザ端末インタフェース手段に接続し、前記ユーザ端末からのインターネットアクセスを前記インターネットアクセス回線経由で可能とする制御手段とを有することを特徴とするネットワークアクセス装置。
【請求項４】
ユーザが使用するユーザ端末を接続し、前記ユーザ端末を新たに契約したインターネットアクセス回線を介してインターネットに接続可能とするために、ネットワークアクセス装置を、
電話網に設けられた固定電話回線を接続し、対応する信号の送受信を行う電話回線インタフェース手段と、
前記インターネットアクセス回線を接続し、対応する信号の送受信を行うインターネットアクセス回線インタフェース手段と、
前記ユーザ端末を接続し、対応する信号の送受信を行うユーザ端末インタフェース手段と、
前記ユーザ端末インタフェース手段を、前記電話回線インタフェース手段及び前記インターネットアクセス回線インタフェース手段のいずれかに択一的に接続し、信号の中継を行う回線切替手段と、
前記電話回線インタフェース手段を介して、外部に記憶された、前記ユーザ端末が自装置を介してインターネットにアクセスするために必要となるネットワーク接続設定情報を取得し、前記取得したネットワーク接続設定情報に基づいて、自装置がインターネットに接続するために必要な設定を行い、前記取得したネットワーク接続設定情報を前記ユーザ端末インタフェース手段を介して前記ユーザ端末へ転送し、前記回線切替手段を制御して前記電話回線インタフェース手段を前記ユーザ端末インタフェース手段に接続し、前記ユーザ端末からのインターネットアクセスを前記電話回線経由で可能とし、前記インターネットアクセス回線の開通通知を受信すると、前記回線切替手段を制御して前記インターネットアクセス回線インタフェース手段を前記ユーザ端末インタフェース手段に接続し、前記ユーザ端末からのインターネットアクセスを前記インターネットアクセス回線経由で可能とする制御手段として機能させるためのプログラム。
【請求項５】
ユーザが使用するユーザ端末を接続し、前記ユーザ端末を新たに契約したインターネットアクセス回線を介してインターネットに接続可能とするネットワークアクセス装置において、
電話網と無線電話回線で接続される携帯端末を接続し、対応する信号の送受信を行う携帯端末インタフェース手段と、
前記インターネットアクセス回線を接続し、対応する信号の送受信を行うインターネットアクセス回線インタフェース手段と、
前記ユーザ端末を接続し、対応する信号の送受信を行うユーザ端末インタフェース手段と、
前記ユーザ端末インタフェース手段を、前記携帯端末インタフェース手段及び前記インターネットアクセス回線インタフェース手段のいずれかに択一的に接続し、信号の中継を行う回線切替手段と、
前記携帯端末インタフェース手段を介して、外部に記憶された、前記ユーザ端末が自装置を介してインターネットにアクセスするために必要となるネットワーク接続設定情報を取得し、前記取得したネットワーク接続設定情報に基づいて、自装置がインターネットに接続するために必要な設定を行い、前記取得したネットワーク接続設定情報を前記ユーザ端末インタフェース手段を介して前記ユーザ端末へ転送し、前記回線切替手段を制御して前記携帯端末インタフェース手段を前記ユーザ端末インタフェース手段に接続し、前記ユーザ端末からのインターネットアクセスを前記携帯端末経由で可能とし、前記インターネットアクセス回線の開通通知を受信すると、前記回線切替手段を制御して前記インターネットアクセス回線インタフェース手段を前記ユーザ端末インタフェース手段に接続し、前記ユーザ端末からのインターネットアクセスを前記インターネットアクセス回線経由で可能とする制御手段とを有することを特徴とするネットワークアクセス装置。
【請求項６】
ユーザが使用するユーザ端末を接続し、前記ユーザ端末を新たに契約したインターネットアクセス回線を介してインターネットに接続可能とするために、ネットワークアクセス装置を、
電話網と無線電話回線で接続される携帯端末を接続し、対応する信号の送受信を行う携帯端末インタフェース手段と、
前記インターネットアクセス回線を接続し、対応する信号の送受信を行うインターネットアクセス回線インタフェース手段と、
前記ユーザ端末を接続し、対応する信号の送受信を行うユーザ端末インタフェース手段と、
前記ユーザ端末インタフェース手段を、前記携帯端末インタフェース手段及び前記インターネットアクセス回線インタフェース手段のいずれかに択一的に接続し、信号の中継を行う回線切替手段と、
前記携帯端末インタフェース手段を介して、外部に記憶された、前記ユーザ端末が自装置を介してインターネットにアクセスするために必要となるネットワーク接続設定情報を取得し、前記取得したネットワーク接続設定情報に基づいて、自装置がインターネットに接続するために必要な設定を行い、前記取得したネットワーク接続設定情報を前記ユーザ端末インタフェース手段を介して前記ユーザ端末へ転送し、前記回線切替手段を制御して前記携帯端末インタフェース手段を前記ユーザ端末インタフェース手段に接続し、前記ユーザ端末からのインターネットアクセスを前記携帯端末経由で可能とし、前記インターネットアクセス回線の開通通知を受信すると、前記回線切替手段を制御して前記インターネットアクセス回線インタフェース手段を前記ユーザ端末インタフェース手段に接続し、前記ユーザ端末からのインターネットアクセスを前記インターネットアクセス回線経由で可能とする制御手段として機能させるためのプログラム。
【請求項７】
インターネットに接続するとともに、電話回線及びインターネットアクセス回線を収容する、プロバイダが運営する通信システムと、
ユーザが使用するユーザ端末と、
前記ユーザ端末を接続するとともに、前記電話回線及び前記インターネットアクセス回線を収容する、ネットワークアクセス装置と、
前記プロバイダが運営する通信システムに設けられ、前記ユーザ端末が前記ネットワークアクセス装置を介してインターネットにアクセスするために必要となるネットワーク接続設定情報を記憶した設定情報記憶手段とを備え、
前記ネットワークアクセス装置が、前記電話回線を介して前記設定情報記憶手段にアクセスし、前記ネットワーク接続設定情報を取得し、前記取得したネットワーク接続設定情報に基づいて、前記ネットワークアクセス装置及び前記ユーザ端末で必要なネットワーク接続設定を自動的に行い、前記ユーザ端末に対するインターネット接続環境として、前記インターネットアクセス回線が開通するまでは前記電話回線を利用し、前記インターネットアクセス回線の開通通知を受信したときに自動的に前記電話回線から前記インターネットアクセス回線に切り替えることを特徴とする自動接続設定システム。
【請求項８】
プロバイダが運営し、インターネットに接続するとともに、電話回線及びインターネットアクセス回線を収容する通信システムに設けられた設定情報記憶手段に、ユーザがインターネットアクセス回線を新たに契約した時点で、当該ユーザが使用するユーザ端末が、ネットワークアクセス装置を介してインターネットにアクセスするために必要となるネットワーク接続設定情報を記憶するステップと、
前記ユーザ端末を接続するとともに、前記電話回線及び前記インターネットアクセス回線を収容するネットワークアクセス装置から、前記電話回線を介して前記設定情報記憶手段にアクセスし、前記ネットワーク接続設定情報を取得するステップと、
前記取得したネットワーク接続設定情報に基づいて、前記ネットワークアクセス装置及び前記ユーザ端末で必要なネットワーク接続設定を自動的に行うステップと、
前記ユーザ端末に対するインターネット接続環境として、前記インターネットアクセス回線が開通するまでは前記電話回線を利用するステップと、
前記インターネットアクセス回線の開通通知を受信したときに自動的に前記電話回線から前記インターネットアクセス回線に切り替えるステップとを有することを特徴とする自動接続設定方法。
【発明の詳細な説明】
【技術分野】
【０００１】
本発明は、ユーザが使用するユーザ端末を接続し、このユーザ端末を新たに契約したインターネットアクセス回線を介してインターネットに接続可能とするネットワークアクセス装置と、このネットワークアクセス装置に用いられるプログラムと、このネットワークアクセス装置を用いた自動接続設定システムと、その自動接続設定方法とに関する。
【背景技術】
【０００２】
ユーザがユーザ端末を用いてインターネットに接続するためには、回線提供者やプロバイダに対し、インターネットにアクセスするための回線（インターネットアクセス回線）を利用する契約を行う必要がある。そして、ユーザ端末をインターネットアクセス回線に接続するためのルータやモデムなどのネットワークアクセス装置に対して、ネットワーク接続のための設定を行う必要がある。また、ユーザ端末についてもメールソフトやＷｅｂ（ウェブ）ブラウザなどの設定を行う必要がある。
【０００３】
図７を参照して、従来のインターネットアクセス回線の契約手順および設定手順の一例を説明する。図７の例は、インターネットアクセス回線としてＡＤＳＬ（Ａｓｙｍｍｅｔｒｉｃ  Ｄｉｇｉｔａｌ  Ｓｕｂｓｃｒｉｂｅｒ  Ｌｉｎｅ：非対称デジタル加入者回線）を用いる場合を示している。
【０００４】
プロバイダの運営する通信システム（図７ではプロバイダと略記）６３は、インターネット６４に接続されており、収容したインターネットアクセス回線６２をインターネット６４に接続可能としている。ユーザは、インターネットへのアクセスを希望するとき、プロバイダに対してインターネットアクセス回線６２の利用契約を行う。インターネットアクセス回線６２は、通常の場合、契約後直ちに使用できる状態にはならず、開通するまである程度の日数がかかる。
【０００５】
ユーザは、インターネットアクセス回線６２の開通日にあわせて、ネットワークアクセス装置６１の設置を行い、ユーザ端末６０と接続しておく。インターネットアクセス回線６２が開通すると、ユーザは、ネットワークアクセス装置６１やユーザ端末６２の設定を行い、ネットワークアクセス装置６１をインターネットアクセス回線６２に接続する。これにより、ユーザ端末６０は、インターネット６４に接続可能となる。
【０００６】
ユーザ端末６０における設定（ネットワーク接続設定）の例としては、メールソフトやＷｅｂブラウザの設定がある。また、ネットワークアクセス装置６１のＩＤ設定などがあげられる。
【０００７】
すなわち、ユーザがインターネットにアクセスするための回線を契約してネットワークに接続しようとすると、多くの設定を行う必要があるため処理が煩雑であるという問題があった。
【０００８】
これに対して、契約内容に応じて各種ネットワーク接続設定を自動的に行う技術が提案されている（例えば、特許文献１，２参照）。
【０００９】
【特許文献１】特開２００２−１１８６１８号公報（第２頁、図１）
【特許文献２】特開２００３−１７８１４４号公報（第２頁、図１）
【発明の開示】
【発明が解決しようとする課題】
【００１０】
上述した従来のインターネットアクセス回線の契約方法では、ユーザがネットワークアクセス装置やユーザ端末の設定を行う必要があるという問題があった。また、特許文献１及び特許文献２記載技術のように設定を自動的に行うようにした場合でも、インターネットアクセス回線が開通するまでの期間は、インターネットに接続することができないといった問題もあった。
【００１１】
本発明の目的は、インターネットアクセス回線が開通するまでは代替のインターネット接続手段を提供し、インターネットアクセス回線が開通したら当該回線に自動的に切替可能としたネットワークアクセス装置とそのプログラム、及び自動接続設定システムと方法を提供することにある。
【課題を解決するための手段】
【００１２】
本発明の第１のネットワークアクセス装置は、ユーザが使用するユーザ端末を接続し、前記ユーザ端末を新たに契約したインターネットアクセス回線を介してインターネットに接続可能とするネットワークアクセス装置において、外部に記憶された、前記ユーザ端末が自装置を介してインターネットにアクセスするために必要となるネットワーク接続設定情報を、電話回線を利用して取得する手段と、前記取得したネットワーク接続設定情報に基づいて、自装置に自動的にネットワーク接続設定を行う手段と、前記取得したネットワーク接続設定情報を前記ユーザ端末へ転送する手段と、前記ユーザ端末に対するインターネット接続環境として、前記インターネットアクセス回線が開通するまでは前記電話回線を利用し、前記インターネットアクセス回線の開通通知を受信したときに自動的に前記電話回線から前記インターネットアクセス回線に切り替える手段とを有する。
【００１３】
本発明の第１のプログラムは、ユーザが使用するユーザ端末を接続し、前記ユーザ端末を新たに契約したインターネットアクセス回線を介してインターネットに接続可能とするために、ネットワークアクセス装置を、外部に記憶された、前記ユーザ端末が自装置を介してインターネットにアクセスするために必要となるネットワーク接続設定情報を、電話回線を利用して取得する手段と、前記取得したネットワーク接続設定情報に基づいて、自装置に自動的にネットワーク接続設定を行う手段と、前記取得したネットワーク接続設定情報を前記ユーザ端末へ転送する手段と、前記ユーザ端末に対するインターネット接続環境として、前記インターネットアクセス回線が開通するまでは前記電話回線を利用し、前記インターネットアクセス回線の開通通知を受信したときに自動的に前記電話回線から前記インターネットアクセス回線に切り替える手段として機能させる。
【００１４】
本発明の第２のネットワークアクセス装置は、ユーザが使用するユーザ端末を接続し、前記ユーザ端末を新たに契約したインターネットアクセス回線を介してインターネットに接続可能とするネットワークアクセス装置において、電話網に設けられた固定電話回線を接続し、対応する信号の送受信を行う電話回線インタフェース手段と、前記インターネットアクセス回線を接続し、対応する信号の送受信を行うインターネットアクセス回線インタフェース手段と、前記ユーザ端末を接続し、対応する信号の送受信を行うユーザ端末インタフェース手段と、前記ユーザ端末インタフェース手段を、前記電話回線インタフェース手段及び前記インターネットアクセス回線インタフェース手段のいずれかに択一的に接続し、信号の中継を行う回線切替手段と、前記電話回線インタフェース手段を介して、外部に記憶された、前記ユーザ端末が自装置を介してインターネットにアクセスするために必要となるネットワーク接続設定情報を取得し、前記取得したネットワーク接続設定情報に基づいて、自装置がインターネットに接続するために必要な設定を行い、前記取得したネットワーク接続設定情報を前記ユーザ端末インタフェース手段を介して前記ユーザ端末へ転送し、前記回線切替手段を制御して前記電話回線インタフェース手段を前記ユーザ端末インタフェース手段に接続し、前記ユーザ端末からのインターネットアクセスを前記電話回線経由で可能とし、前記インターネットアクセス回線の開通通知を受信すると、前記回線切替手段を制御して前記インターネットアクセス回線インタフェース手段を前記ユーザ端末インタフェース手段に接続し、前記ユーザ端末からのインターネットアクセスを前記インターネットアクセス回線経由で可能とする制御手段とを有する。
【００１５】
本発明の第２のプログラムは、ユーザが使用するユーザ端末を接続し、前記ユーザ端末を新たに契約したインターネットアクセス回線を介してインターネットに接続可能とするために、ネットワークアクセス装置を、電話網に設けられた固定電話回線を接続し、対応する信号の送受信を行う電話回線インタフェース手段と、前記インターネットアクセス回線を接続し、対応する信号の送受信を行うインターネットアクセス回線インタフェース手段と、前記ユーザ端末を接続し、対応する信号の送受信を行うユーザ端末インタフェース手段と、前記ユーザ端末インタフェース手段を、前記電話回線インタフェース手段及び前記インターネットアクセス回線インタフェース手段のいずれかに択一的に接続し、信号の中継を行う回線切替手段と、前記電話回線インタフェース手段を介して、外部に記憶された、前記ユーザ端末が自装置を介してインターネットにアクセスするために必要となるネットワーク接続設定情報を取得し、前記取得したネットワーク接続設定情報に基づいて、自装置がインターネットに接続するために必要な設定を行い、前記取得したネットワーク接続設定情報を前記ユーザ端末インタフェース手段を介して前記ユーザ端末へ転送し、前記回線切替手段を制御して前記電話回線インタフェース手段を前記ユーザ端末インタフェース手段に接続し、前記ユーザ端末からのインターネットアクセスを前記電話回線経由で可能とし、前記インターネットアクセス回線の開通通知を受信すると、前記回線切替手段を制御して前記インターネットアクセス回線インタフェース手段を前記ユーザ端末インタフェース手段に接続し、前記ユーザ端末からのインターネットアクセスを前記インターネットアクセス回線経由で可能とする制御手段として機能させる。
【００１６】
本発明の第３のネットワークアクセス装置は、ユーザが使用するユーザ端末を接続し、前記ユーザ端末を新たに契約したインターネットアクセス回線を介してインターネットに接続可能とするネットワークアクセス装置において、電話網と無線電話回線で接続される携帯端末を接続し、対応する信号の送受信を行う携帯端末インタフェース手段と、前記インターネットアクセス回線を接続し、対応する信号の送受信を行うインターネットアクセス回線インタフェース手段と、前記ユーザ端末を接続し、対応する信号の送受信を行うユーザ端末インタフェース手段と、前記ユーザ端末インタフェース手段を、前記携帯端末インタフェース手段及び前記インターネットアクセス回線インタフェース手段のいずれかに択一的に接続し、信号の中継を行う回線切替手段と、前記携帯端末インタフェース手段を介して、外部に記憶された、前記ユーザ端末が自装置を介してインターネットにアクセスするために必要となるネットワーク接続設定情報を取得し、前記取得したネットワーク接続設定情報に基づいて、自装置がインターネットに接続するために必要な設定を行い、前記取得したネットワーク接続設定情報を前記ユーザ端末インタフェース手段を介して前記ユーザ端末へ転送し、前記回線切替手段を制御して前記携帯端末インタフェース手段を前記ユーザ端末インタフェース手段に接続し、前記ユーザ端末からのインターネットアクセスを前記携帯端末経由で可能とし、前記インターネットアクセス回線の開通通知を受信すると、前記回線切替手段を制御して前記インターネットアクセス回線インタフェース手段を前記ユーザ端末インタフェース手段に接続し、前記ユーザ端末からのインターネットアクセスを前記インターネットアクセス回線経由で可能とする制御手段とを有する。
【００１７】
本発明の第３のプログラムは、ユーザが使用するユーザ端末を接続し、前記ユーザ端末を新たに契約したインターネットアクセス回線を介してインターネットに接続可能とするために、ネットワークアクセス装置を、電話網と無線電話回線で接続される携帯端末を接続し、対応する信号の送受信を行う携帯端末インタフェース手段と、前記インターネットアクセス回線を接続し、対応する信号の送受信を行うインターネットアクセス回線インタフェース手段と、前記ユーザ端末を接続し、対応する信号の送受信を行うユーザ端末インタフェース手段と、前記ユーザ端末インタフェース手段を、前記携帯端末インタフェース手段及び前記インターネットアクセス回線インタフェース手段のいずれかに択一的に接続し、信号の中継を行う回線切替手段と、前記携帯端末インタフェース手段を介して、外部に記憶された、前記ユーザ端末が自装置を介してインターネットにアクセスするために必要となるネットワーク接続設定情報を取得し、前記取得したネットワーク接続設定情報に基づいて、自装置がインターネットに接続するために必要な設定を行い、前記取得したネットワーク接続設定情報を前記ユーザ端末インタフェース手段を介して前記ユーザ端末へ転送し、前記回線切替手段を制御して前記携帯端末インタフェース手段を前記ユーザ端末インタフェース手段に接続し、前記ユーザ端末からのインターネットアクセスを前記携帯端末経由で可能とし、前記インターネットアクセス回線の開通通知を受信すると、前記回線切替手段を制御して前記インターネットアクセス回線インタフェース手段を前記ユーザ端末インタフェース手段に接続し、前記ユーザ端末からのインターネットアクセスを前記インターネットアクセス回線経由で可能とする制御手段として機能させる。
【００１８】
本発明の自動接続設定システムは、インターネットに接続するとともに、電話回線及びインターネットアクセス回線を収容する、プロバイダが運営する通信システムと、ユーザが使用するユーザ端末と、前記ユーザ端末を接続するとともに、前記電話回線及び前記インターネットアクセス回線を収容する、ネットワークアクセス装置と、前記プロバイダが運営する通信システムに設けられ、前記ユーザ端末が前記ネットワークアクセス装置を介してインターネットにアクセスするために必要となるネットワーク接続設定情報を記憶した設定情報記憶手段とを備え、前記ネットワークアクセス装置が、前記電話回線を介して前記設定情報記憶手段にアクセスし、前記ネットワーク接続設定情報を取得し、前記取得したネットワーク接続設定情報に基づいて、前記ネットワークアクセス装置及び前記ユーザ端末で必要なネットワーク接続設定を自動的に行い、前記ユーザ端末に対するインターネット接続環境として、前記インターネットアクセス回線が開通するまでは前記電話回線を利用し、前記インターネットアクセス回線の開通通知を受信したときに自動的に前記電話回線から前記インターネットアクセス回線に切り替える。
【００１９】
本発明の自動接続設定方法は、プロバイダが運営し、インターネットに接続するとともに、電話回線及びインターネットアクセス回線を収容する通信システムに設けられた設定情報記憶手段に、ユーザがインターネットアクセス回線を新たに契約した時点で、当該ユーザが使用するユーザ端末が、ネットワークアクセス装置を介してインターネットにアクセスするために必要となるネットワーク接続設定情報を記憶するステップと、前記ユーザ端末を接続するとともに、前記電話回線及び前記インターネットアクセス回線を収容するネットワークアクセス装置から、前記電話回線を介して前記設定情報記憶手段にアクセスし、前記ネットワーク接続設定情報を取得するステップと、前記取得したネットワーク接続設定情報に基づいて、前記ネットワークアクセス装置及び前記ユーザ端末で必要なネットワーク接続設定を自動的に行うステップと、前記ユーザ端末に対するインターネット接続環境として、前記インターネットアクセス回線が開通するまでは前記電話回線を利用するステップと、前記インターネットアクセス回線の開通通知を受信したときに自動的に前記電話回線から前記インターネットアクセス回線に切り替えるステップとを有する。
【発明の効果】
【００２０】
本発明によれば、ユーザは、プロバイダに対してインターネットアクセス回線の契約を行った時点から、ユーザ端末を使用してインターネットに接続できる。その理由は以下のとおりである。まず、ユーザ端末を接続したネットワークアクセス装置から電話回線（電話網）を利用して、プロバイダの設定情報記憶手段等の外部に記憶されたネットワーク接続設定情報を取得する。取得したネットワーク接続設定情報に基づいて、ネットワークアクセス装置に自動的にネットワーク接続設定を行うとともに、当該設定情報をユーザ端末へ転送し、同様に接続設定を可能とする。ネットワークアクセス装置は、ユーザ端末に対するインターネット接続環境として、インターネットアクセス回線が開通するまでは電話回線を利用する。ネットワークアクセス装置は、インターネットアクセス回線の開通通知を受信したときに、自動的に電話回線からインターネットアクセス回線に切り替える。以上により、頭書の効果が発揮される。
【発明を実施するための最良の形態】
【００２１】
まず、本発明の概要を説明する。
【００２２】
ユーザがユーザ端末からインターネットにアクセスするためには、通常、通信事業者やインターネット接続サービス事業者（プロバイダ）との間でインターネットアクセス回線の利用契約を行う。ユーザ端末は、ネットワークアクセス装置を通してインターネットアクセス回線に接続し、インターネットへのアクセスを行う。その際、契約締結時に事業者から通知されるネットワーク接続設定情報を、ユーザ端末及びネットワークアクセス装置に設定しておく必要がある。以下、ネットワーク接続設定情報を設定情報と略記する場合がある。
【００２３】
なお、ユーザが契約するインターネットアクセス回線とは、音声信号用の電話回線ではなく、高速でデータ信号を送受信できる回線のことである。このインターネットアクセス回線には、ＡＤＳＬ（Ａｓｙｍｍｅｔｒｉｃ  Ｄｉｇｉｔａｌ  Ｓｕｂｓｃｒｉｂｅｒ  Ｌｉｎｅ）等のデジタル加入者回線がある。その他に、ＣＡＴＶ（ケーブルテレビ）回線や、ＦＴＴＨ（Ｆｉｂｅｒ  Ｔｏ  Ｔｈｅ  Ｈｏｍｅ）等の光ケーブル回線などがある。ただし、インターネットアクセス回線は、途中の通信施設の設定が必要であり、契約後直ちに使用できる状態にはならず、開通するまである程度の日数がかかるのが普通である。
【００２４】
本発明は、ユーザ端末からネットワークアクセス装置を介してインターネットにアクセスするためのネットワーク接続設定を、自動的に行う仕組みを提供する。さらに、本発明は、インターネットアクセス回線が開通するまでは代替回線を用意し、インターネットアクセス回線が開通すると当該回線に自動的に切替える仕組みを提供する。
【００２５】
ネットワーク接続設定情報（設定情報）は、電話網（電話回線）を介して接続可能な、事業者（プロバイダ）側の情報記憶手段（設定格納サーバ）に格納されている。
【００２６】
ネットワークアクセス装置は、インターネットアクセス回線と、電話回線（加入者回線）との２種類の回線を収容する。インターネットアクセス回線は、プロバイダを通じてインターネットに接続するために用いられる。電話回線は、プロバイダとインターネットアクセス回線の契約を行ったり、インターネットにアクセスするために必要となるネットワーク接続設定情報を取得したりするために用いられる。
【００２７】
電話回線としては、固定電話回線や、無線回線などがある。ネットワークアクセス装置は、固定電話回線は直接収容するが、無線回線は携帯端末（携帯電話機など）を介して収容する。この電話回線は、音声信号の送受信を主目的としているが、インターネットアクセス回線に比べて低速ではあるものの、データ信号の送受信も可能である。
【００２８】
ネットワークアクセス装置は、また、ネットワーク接続設定情報を電話回線を利用して取得し、自装置に自動的に設定を行う手段と、接続されているユーザ端末に設定情報を転送する手段とを有している。ネットワークアクセス装置は、さらに、インターネットアクセス回線が開通するまで電話回線を利用した接続環境を提供する手段を有している。ネットワークアクセス装置は、さらに、インターネットアクセス回線の開通通知を受信したときに、自動的に、接続環境を電話回線側から新たに契約したインターネットアクセス回線側に切り替える手段を有している。
【００２９】
次に、本発明を実施するための最良の形態について図面を参照して詳細に説明する。
【実施例１】
【００３０】
図１は本発明の一実例（第１の実施例：実施例１）を示すシステム構成図である。
【００３１】
図１を参照すると、本例の接続設定情報自動設定システムは、ユーザ端末１０と、ネットワークアクセス装置１１と、設定格納サーバ１５とを備えている。設定格納サーバ１５は、プロバイダシステム１４に収容されている。なお、プロバイダシステムは、プロバイダの通信システムであり、図１においてプロバイダと略記してある（他の図も同様）。
【００３２】
プロバイダシステム１４は、インターネット１６に接続するととともに、電話網１２の電話回線、及びインターネットアクセス回線１３を収容している。ユーザ端末１０は、ネットワークアクセス装置１１に接続されている。ネットワークアクセス装置１１は、電話網１２の電話回線、及びインターネットアクセス回線１３を介してプロバイダシステム１４に接続されている。
【００３３】
ユーザ端末１０は、パーソナルコンピュータ（ＰＣ）などの情報処理装置である。ユーザ端末１０は、ネットワークアクセス装置１１からネットワーク接続設定情報を受信して、ネットワーク接続設定や、メールソフトやＷｅｂブラウザソフトの設定を自動的に行う機能を有する。また、ユーザ端末１０は、ネットワークアクセス装置１１の設定状況を確認するための画面の表示機能や、インターネットアクセス回線１３の開通通知を表示する機能を有する。
【００３４】
ネットワークアクセス装置１１は、ユーザ端末１０をプロバイダシステム１４を通してインターネット１６に接続するための機能を有する、ルータやモデムなどの装置である。すなわち、ネットワークアクセス装置１１は、電話網１２の電話回線（固定電話回線）を介した接続を行うためのモデム機能と、インターネットアクセス回線１３を介した接続を行うための機能との両機能を有する。
【００３５】
ネットワークアクセス装置１１は、プロバイダシステム１４に設置されている設定格納サーバ１５よりネットワーク接続設定情報を取得する。ネットワークアクセス装置１１は、取得したネットワーク接続設定情報に基づいて、自装置の設定を自動的に行い、接続されているユーザ端末１０へ必要な設定情報を転送する機能を有する。
【００３６】
図６に、ネットワークアクセス装置１１の内部構成例を示す。
【００３７】
図６において、ネットワークアクセス装置１１は、メモリ部１１１と、制御部１１２と、回線切替部１１４と、ユーザ端末インタフェース部１１３とを有している。ネットワークアクセス装置１１は、また、インターネットアクセス回線インタフェース部１１５と、電話回線インタフェース部１１６と、携帯端末インタフェース部１１７とを有している。以下、ユーザ端末インタフェース部１１３をユーザ端末Ｉ／Ｆ部１１３、インターネットアクセス回線インタフェース部１１５をインターネットアクセス回線Ｉ／Ｆ部１１５とそれぞれ略記する。同様に、電話回線インタフェース部１１６を電話回線Ｉ／Ｆ部１１６、携帯端末インタフェース部１１７を携帯端末Ｉ／Ｆ部と、それぞれ略記する。
【００３８】
メモリ部１１１は、ネットワークアクセス装置１１を動作させるためのプログラムや各種データが格納してある。
【００３９】
制御部１１２は、メモリ部１１１に格納されたプログラムや各種データに従って、ネットワークアクセス装置１１の全体の制御を行う。
【００４０】
回線切替部１１４は、インターネットアクセス回線Ｉ／Ｆ部１１５，電話回線Ｉ／Ｆ部１１６，及び携帯端末Ｉ／Ｆ部１１７の中からいずれか１つを選択して、ユーザ端末Ｉ／Ｆ部１１３と接続し、信号の送受信を中継する。
【００４１】
ユーザ端末Ｉ／Ｆ部１１３は、ユーザ端末１０を接続し、対応する信号の送受信を行う。
【００４２】
インターネットアクセス回線Ｉ／Ｆ部１１５は、インターネットアクセス回線を接続し、対応する信号の送受信を行う。
【００４３】
電話回線Ｉ／Ｆ部１１６は、電話網１２の固定電話回線を接続し、対応する信号の送受信を行う。
【００４４】
携帯端末Ｉ／Ｆ部１１７は、携帯端末２０を接続し、対応する信号の送受信を行う。
【００４５】
なお、ネットワークアクセス装置１１を本実施例（実施例１）において使用する場合は、携帯端末Ｉ／Ｆ部１１７は備えなくてもよい。
【００４６】
また、ネットワークアクセス装置１１は、ユーザ端末Ｉ／Ｆ部１１３を複数個有することができる。
【００４７】
メモリ部１１１に格納され、制御部１１２により実行されるプログラムは、ネットワークアクセス装置１１に対し、次のような処理を行う。
【００４８】
まず、外部に記憶された、ユーザ端末が自装置を介してインターネットにアクセスするために必要となるネットワーク接続設定情報を、電話回線を利用して取得する手段として機能させる。取得したネットワーク接続設定情報に基づいて、自装置に自動的にネットワーク接続設定を行う手段として機能させる。取得したネットワーク接続設定情報をユーザ端末へ転送する手段として機能させる。インターネット接続環境として、インターネットアクセス回線が開通するまでは電話回線を利用し、インターネットアクセス回線の開通通知を受信したときに自動的に電話回線からインターネットアクセス回線に切り替える手段として機能させる。
【００４９】
また、電話網に設けられた固定電話回線を接続し、対応する信号の送受信を行う電話回線インタフェース手段として機能させる。インターネットアクセス回線を接続し、対応する信号の送受信を行うインターネットアクセス回線インタフェース手段として機能させる。ユーザ端末を接続し、対応する信号の送受信を行うユーザ端末インタフェース手段として機能させる。ユーザ端末インタフェース手段を、電話回線インタフェース手段及びインターネットアクセス回線インタフェース手段のいずれかに択一的に接続し、信号の中継を行う回線切替手段として機能させる。電話回線インタフェース手段を介して、外部に記憶された、ユーザ端末が自装置を介してインターネットにアクセスするために必要となるネットワーク接続設定情報を取得する手段として機能させる。取得したネットワーク接続設定情報に基づいて、自装置がインターネットに接続するために必要な設定を行う手段として機能させる。取得したネットワーク接続設定情報をユーザ端末インタフェース手段を介してユーザ端末へ転送する手段として機能させる。回線切替手段を制御して電話回線インタフェース手段をユーザ端末インタフェース手段に接続し、ユーザ端末からのインターネットアクセスを電話回線経由で可能とする手段として機能させる。インターネットアクセス回線の開通通知を受信すると、回線切替手段を制御してインターネットアクセス回線インタフェース手段をユーザ端末インタフェース手段に接続する手段として機能させる。
【００５０】
設定格納サーバ１５は、プロバイダシステム１４に設置さているワークステーションサーバなどの情報処理装置である。設定格納サーバ１５は、ユーザ端末１０及びネットワークアクセス装置１１でのネットワーク接続に必要な設定情報を格納している。設定格納サーバ１５は、ネットワークアクセス装置１１からアクセスがあった場合に、該当するユーザの電話番号やＩＤなどのユーザ情報から、必要となる設定情報を検索する。設定格納サーバ１５は、検索の結果得られた設定情報を、ネットワークアクセス装置１１へ送信する機能を有する。
【００５１】
上記設定情報には、ネットワークアクセス装置１１が電話網１２およびインターネットアクセス回線１３を介してインターネット１６へアクセスするための設定情報が含まれる。また、上記設定情報には、ユーザ端末１０がメールサービスやＷｅｂ（ウェブ）ブラウザを利用したサービスを受けるために必要となる、メールサーバやプロキシサーバなどの設定情報が含まれる。
【００５２】
次に、図１，図６とともに、図３のフローチャートを参照して、実施例１の動作について詳細に説明する。
【００５３】
まず、ユーザは、回線提供者やプロバイダなど（以下、プロバイダと総称）と、インターネットアクセス回線の契約を結ぶ（図３のステップＡ１）。プロバイダは、契約に基づき、仮ＩＤ（仮個人識別情報）を発行し、ユーザに通知する（ステップＡ２）。プロバイダは、また、当該契約に基づき、当該ユーザに対する設定情報を生成し、仮ＩＤ対応に設定格納サーバ１５に格納する（ステップＡ３）。
【００５４】
次に、ユーザは、ユーザ端末１０を操作することにより、ユーザ端末１０をネットワークアクセス装置１０１に接続し、ネットワークアクセス装置１１を電話網１２（固定電話回線）へ接続する。ユーザ端末１０が、設定格納サーバ１５への接続要求を送信すると（ステップＡ４）、ネットワークアクセス装置１１は、電話網１２及びプロバイダシステム１４を介して、設定格納サーバ１５への接続を行う（ステップＡ５）。そのとき、ネットワークアクセス装置１１は、ユーザ情報を送信するとともに、設定情報の要求を行う。例えばユーザ情報として、仮ＩＤの他に、電話番号，クレジット番号などがあげられる。
【００５５】
設定格納サーバ１５は、ネットワークアクセス装置１１から受信したユーザ情報（仮ＩＤ）をもとに、ネットワーク接続設定情報を検索して、該当する設定情報を返送する（ステップＡ６）。
【００５６】
ネットワークアクセス装置１１は、設定情報を受信し保持すると（ステップＡ７）、自装置に必要な設定を行う（ステップＡ８）。続いて、ネットワークアクセス装置１１は、ユーザ端末１０に必要な設定情報をユーザ端末１０へ送信する（ステップＡ９）。ネットワークアクセス装置１１は、また、回線切替部１１４を制御して、ユーザ端末Ｉ／Ｆ部１１３と電話回線Ｉ／Ｆ部１１６とを接続する。
【００５７】
ネットワークアクセス装置１１に必要な設定情報には、インターネットアクセス回線１３を利用するために必要となる正式なＩＤ情報がある。この設定情報には、また、インターネットアクセス回線１３が開通するまでの間、電話網１２を利用してプロバイダシステム１４にダイアルアップ接続を行うために必要となるアクセスポイントの情報などがある。
【００５８】
また、ユーザ端末１０が必要とする設定情報には、メールやＷｅｂサービスを利用するためのメールサーバやプロキシサーバの情報がある。
【００５９】
ユーザ端末１０は、ネットワークアクセス装置１１から設定情報を受信すると、当該設定情報に基づいて、ネットワーク接続に必要となるメールサーバやプロキシサーバの設定を行う。ユーザ端末１０は、この設定に従って、ネットワークアクセス装置１１に対し、インターネット１６への接続要求を送信する（ステップＡ１０）。
【００６０】
接続要求を受信したネットワークアクセス装置１１は、電話網１２を利用したプロバイダシステム１４へアクセスし、インターネット接続を実行する（ステップＡ１１）。
【００６１】
ユーザが契約を行ったインターネットアクセス回線１３が開通したときには、プロバイダシステム１４からインターネットアクセス回線１３の開通通知が送信される（ステップＡ１２）。
【００６２】
この開通通知を受信したネットワークアクセス装置１１は、回線切替部１１４を制御して、ユーザ端末Ｉ／Ｆ部１１３の接続先を、電話回線Ｉ／Ｆ部１１６からインターネットアクセス回線Ｉ／Ｆ部１１５に切り替える。これにより、インターネット１６への接続回線を、電話網１２から、契約したインターネットアクセス回線１３に変更する（ステップＡ１３）。開通通知は、例えばユーザ端末１０の画面にポップアップウィンドウで表示するような仕組みを用いて、最終的にユーザへ通知される。
【００６３】
なお、プロバイダシステム１４及びネットワークアクセス装置１１間での開通通知の送受信は、標準的なプロトコルである、ＴＣＰ／ＩＰを用いて行うことができる。ここで、ＴＣＰとは、Ｔｒａｎｓｍｉｓｓｉｏｎ  Ｃｏｎｔｒｏｌ  Ｐｒｏｔｏｃｏｌ、ＩＰとは、Ｉｎｔｅｒｎｅｔ  Ｐｒｏｔｏｃｏｌのことである。
【００６４】
あるいは、ネットワークアクセス装置１１に電子メールの受信機能を設ければ、プロバイダシステム１４から電子メールを用いて開通通知を送信することができる。
【００６５】
ユーザが契約するインターネットアクセス回線１３には、上述したように、ＡＤＳＬ、ケーブルテレビ、ＦＴＴＨなどがある。ＡＤＳＬの場合は、インターネットアクセス回線の加入者側部分及び電話回線の加入者側部分（いずれもネットワークアクセス装置１１との接続部分）を同一線路（電話網１２の加入者線路）にまとめる場合がある。この場合は、同一線路からインターネットアクセス回線（ＡＤＳＬ信号）と電話回線（音声信号）とを分離するためのスプリッタを、ネットワークアクセス装置１１に外付け、あるいは内蔵する。
【００６６】
以上説明したように、本実施例（実施例１）によれば、ネットワーク接続のための設定情報を、電話網１２を介して取得し、ユーザ端末１０及びネットワークアクセス装置１１に自動的に設定することができる。また、インターネットアクセス回線１３が開通するまでの間、電話網１２を利用してインターネットにアクセスすることができる。
【実施例２】
【００６７】
次に、本発明の他の実施例について説明する。
【００６８】
図２は本発明の第２の実施例（実施例２）を示すシステム構成図である。
【００６９】
図２を参照すると、本例の接続設定情報自動設定システムは、ネットワークアクセス装置１１と電話網１２との接続回線が携帯端末２０を使用した無線回線（無線区間）２１である点が、上述した実施例１と異なる。本実施例２においては、ネットワークアクセス装置１１は、携帯端末２０を使用して、無線区間２１を介して設定格納サーバ１５から設定情報を取得する。
【００７０】
携帯端末２０には、携帯電話機や、通信機能付きのＰＤＡ（Ｐｅｒｓｏｎａｌ  Ｄｉｇｉｔａｌ  Ａｓｓｉｓｔａｎｔ）などがあげられる。ネットワークアクセス装置１１と携帯端末２０間を接続する接続媒体２２としては、接続ケーブルや、Ｂｌｕｅｔｏｏｔｈ（ブルートゥース）などの近距離用無線や、赤外線などを利用することができる。
【００７１】
ネットワークアクセス装置１１としては、図６に示す構成のものを使用できるが、電話回線Ｉ／Ｆ部１１６は備えなくてもよい。
【００７２】
メモリ部１１１に格納され、制御部１１２により実行されるプログラムは、ネットワークアクセス装置１１に対し、次のような処理を行う。
【００７３】
電話網と無線電話回線で接続される携帯端末を接続し、対応する信号の送受信を行う携帯端末インタフェース手段として機能させる。インターネットアクセス回線を接続し、対応する信号の送受信を行うインターネットアクセス回線インタフェース手段として機能させる。ユーザ端末を接続し、対応する信号の送受信を行うユーザ端末インタフェース手段として機能させる。ユーザ端末インタフェース手段を、携帯端末インタフェース手段及びインターネットアクセス回線インタフェース手段のいずれかに択一的に接続し、信号の中継を行う回線切替手段として機能させる。携帯端末インタフェース手段を介して、外部に記憶された、ユーザ端末が自装置を介してインターネットにアクセスするために必要となるネットワーク接続設定情報を取得する手段として機能させる。取得したネットワーク接続設定情報に基づいて、自装置がインターネットに接続するために必要な設定を行う手段として機能させる。取得したネットワーク接続設定情報をユーザ端末インタフェース手段を介してユーザ端末へ転送する手段として機能させる。回線切替手段を制御して携帯端末インタフェース手段をユーザ端末インタフェース手段に接続し、ユーザ端末からのインターネットアクセスを前記携帯端末経由で可能とする手段として機能させる。インターネットアクセス回線の開通通知を受信すると、回線切替手段を制御してインターネットアクセス回線インタフェース手段をユーザ端末インタフェース手段に接続する手段として機能させる。
【００７４】
次に、図２，図６とともに、図４のフローチャートを参照して、実施例２の動作について詳細に説明する。
【００７５】
ユーザが、回線提供者やプロバイダなど（以下、プロバイダと総称）とインターネットアクセス回線の契約を結び、仮ＩＤの発行を受ける。そして、プロバイダが、仮ＩＤをキーとした設定情報を設定情報格納サーバ１０５に格納するまでは、実施例１と同様である（図４ステップＢ１〜Ｂ３）。
【００７６】
まず、ユーザは、携帯端末２０から無線回線（無線区間）２１及び電話網１２を介して、プロバイダシステム１４の設定格納サーバ１５にアクセスし、仮ＩＤにより設定情報を要求する（ステップＢ４）。
【００７７】
要求を受けた設定格納サーバ１５は、仮ＩＤに対応した設定情報を携帯端末２０に送信する（ステップＢ５）。
【００７８】
設定情報を受信した携帯端末２０は、ネットワークアクセス装置１１に設定情報の転送を行う（ステップＢ６）。設定情報の転送には、一例として無線通信方式であるＢｌｕｅｔｏｏｔｈや専用ケーブルを利用する方法がある。
【００７９】
ネットワークアクセス装置１１は、設定情報を受信すると、実施例１と同様に、自装置に必要な設定を行う（ステップＢ７）。続いて、ネットワークアクセス装置１１は、ユーザ端末１０に必要な設定情報をユーザ端末１０へ送信する（ステップＢ８）。ネットワークアクセス装置１１は、また、回線切替部１１４を制御して、ユーザ端末Ｉ／Ｆ部１１３と携帯端末Ｉ／Ｆ部１１７とを接続する。
【００８０】
ユーザ端末１０は、ネットワーク接続に必要となる設定を行い、インターネットに接続を行う（ステップＢ９）。ユーザ端末１０は、以後、インターネットアクセス回線１３が開通するまでは、携帯端末２０と無線区間２１を利用して、電話網１２経由でプロバイダシステム１４にアクセスし、インターネット１６に接続を行う（ステップＢ１０）。
【００８１】
インターネットアクセス回線が開通した場合には、プロバイダシステム１４は、アクセス回線の開通通知を携帯端末２０へ送信する（ステップＢ１１）。携帯端末２０は、インターネットアクセス回線の開通通知をネットワークアクセス装置１１へ転送する（ステップＢ１２）。
【００８２】
インターネットアクセス回線の開通通知を受けたネットワークアクセス装置１１は、回線切替部１１４を制御して、ユーザ端末Ｉ／Ｆ部１１３の接続先を、携帯端末Ｉ／Ｆ部１１７からインターネットアクセス回線Ｉ／Ｆ部１１５に切り替える。これにより、インターネットにアクセスするためのアクセス形態を、携帯端末２０及び電話網１２を利用したアクセス形態から、インターネットアクセス回線１３を利用したアクセス形態に自動的に切り替えることができる（ステップＢ１３）。
【００８３】
以上説明したように、本実施例（実施例２）によれば、ネットワーク接続のための設定情報を携帯端末２０により取得することができる。また、インターネットアクセス回線１３が開通するまでの間、携帯端末２０を利用してインターネットにアクセスすることができる。このため、固定電話回線を所有していないユーザ、あるいは固定電話回線が離れた場所にあるユーザについても、自動設定の処理、及びインターネットへのアクセスが可能となる。
【実施例３】
【００８４】
次に、本発明のさらに他の実施例（実施例３）について説明する。
【００８５】
本第３の実施の形態は、電話網経由でインターネットアクセス回線の契約を行うことが、前述した第１及び第２の実施の形態と異なる。ただし、本例の接続設定情報自動設定システムの構成は、図１に示す第１の実施の形態の接続設定情報自動設定システムの構成と同一である。
【００８６】
次に、図１，図６とともに、図５のフローチャートを参照して、実施例３の動作について詳細に説明する。
【００８７】
ユーザは、インターネットアクセス回線１３の契約を、ユーザ端末１０を使用して行う（図５ステップＣ１）。ネットワークアクセス装置１１は、ユーザ端末１０より契約の要求を受信すると、設定格納サーバ１５に対して電話網１２を利用して接続を行う（ステップＣ２）。ユーザは、ユーザ端末１０に表示された画面にしたがい、必要な項目を記入することで契約を行う。例えば、設定格納サーバ１５でＷｅｂ（ウェブ）サーバを起動しておき、契約に必要な処理をＷｅｂ上で行うこが可能である。
【００８８】
契約が完了すると、設定格納サーバ１５は、設定情報をユーザ端末１５に送信する（ステップＣ３）。以後の処理は、実施例１と同様であるため、説明を省略する（ステップＣ４〜ステップＣ１０）。
【００８９】
なお、本実施例３の構成は、図１に示す構成としたが、図２に示す携帯端末を利用した構成とすることもできる。
【００９０】
以上説明したように、本実施例（実施例３）によれば、ユーザ端末１０においてインターネットアクセス回線の契約を行い、ユーザ端末１０及びネットワークアクセス装置１１に対する設定情報の自動設定を行うことが可能となる。
【図面の簡単な説明】
【００９１】
【図１】本発明の一実施例（実施例１）を示すシステム構成図である。
【図２】本発明の他の実施例（実施例２）を示すシステム構成図である。
【図３】本発明の実施例１の動作を示すフロー図である。
【図４】本発明の実施例２の動作を示すフロー図である。
【図５】本発明の実施例３の動作を示すフロー図である。
【図６】本発明のネットワークアクセス装置の構成例を示すブロック構成図である。
【図７】従来技術を説明するためのシステム構成図である。
【符号の説明】
【００９２】
１０    ユーザ端末
１１    ネットワークアクセス装置
１２    電話網
１３    インターネットアクセス回線
１４    プロバイダシステム
１５    設定格納サーバ
１６    インターネット
２０    携帯端末
１１１    メモリ部
１１２    制御部
１１３    ユーザ端末インタフェース（Ｉ／Ｆ）部
１１４    回線切替部
１１５    インターネットアクセス回線インタフェース（Ｉ／Ｆ）部
１１６    電話回線インタフェース（Ｉ／Ｆ）部
１１７    携帯端末インタフェース（Ｉ／Ｆ）部
【図１】
2005286640.tif 000003
【図２】
2005286640.tif 000004
【図３】
2005286640.tif 000005
【図４】
2005286640.tif 000006
【図５】
2005286640.tif 000007
【図６】
2005286640.tif 000008
【図７】
2005286640.tif 000009